(57)【要約】【課題】  画像処理が施される前の画像データに対しても、著作権を保護するための技術を提供する。【解決手段】  撮像装置は、撮像部と、直接埋め込み部とを備えている。撮像部は、被写体を撮像して、複数の画素の色情報からなると共に一つの画素に一つの色成分の色情報を有する画像データを生成する。直接埋め込み部は、画像処理が画像データに施される前に、画像処理のパラメータに応じて画像データに電子透かし情報を埋め込む。従って、この後に色補間等の必要な画像処理を画像データに施しても、埋め込んだ情報が大きく損傷されることはない。この結果、画像処理前の画像データに対しても、著作権を保護できる。【選択図】      図１
2005278099.tif 000002
【特許請求の範囲】
【請求項１】
被写体を撮像して、複数の画素の色情報からなると共に一つの画素に一つの色成分の色情報を有する画像データを生成する撮像部と、
画像処理が前記画像データに施される前に、前記画像処理のパラメータに応じて前記画像データに電子透かし情報を埋め込む直接埋め込み部と
を備えていることを特徴とする撮像装置。
【請求項２】
請求項１記載の撮像装置において、
前記パラメータは、ホワイトバランス調整のパラメータを含むことを特徴とする撮像装置。
【請求項３】
被写体を撮像して、複数の画素の色情報からなると共に一つの画素に一つの色成分の色情報を有する画像データを生成する撮像部と、
画像処理が前記画像データに施される前に、前記画像データに対して、ホワイトバランスの調整処理を施してから電子透かし情報を埋め込む埋め込み処理部と
を備えていることを特徴とする撮像装置。
【請求項４】
請求項３記載の撮像装置において、
前記埋め込み処理部は、前記ホワイトバランスの調整処理が施されたことを示す情報を、前記電子透かし情報が埋め込まれた前記画像データに関連付けることを特徴とする撮像装置。
【請求項５】
請求項１〜請求項４のいずれか１項記載の撮像装置において、
前記電子透かし情報が埋め込まれた前記画像データから、前記電子透かし情報を検出する検出部を備えていることを特徴とする撮像装置。
【請求項６】
請求項１〜請求項５のいずれか１項記載の撮像装置により前記電子透かし情報が埋め込まれた前記画像データを取得するステップと、
取得した前記画像データから、前記電子透かし情報を検出するステップと
をコンピュータに実行させるための電子透かし検出プログラム。
【請求項７】
複数の画素の色情報からなると共に一つの画素に一つの色成分の色情報を有し、画像処理が施されていない画像データに対して、前記画像処理のパラメータに応じて電子透かし情報を埋め込むことを特徴とする電子透かしの埋め込み方法。
【請求項８】
請求項７記載の電子透かしの埋め込み方法において、
前記パラメータは、ホワイトバランス調整のパラメータを含むことを特徴とする電子透かしの埋め込み方法。
【請求項９】
複数の画素の色情報からなると共に一つの画素に一つの色成分の色情報を有し、画像処理が施されていない画像データに対して、ホワイトバランスの調整処理を施してから電子透かし情報を埋め込むことを特徴とする電子透かしの埋め込み方法。
【請求項１０】
請求項９記載の電子透かしの埋め込み方法において、
前記ホワイトバランスの調整処理が施されたことを示す情報を、前記電子透かし情報が埋め込まれた前記画像データに関連付けることを特徴とする電子透かしの埋め込み方法。
【発明の詳細な説明】
【技術分野】
【０００１】
本発明は、撮像装置、電子透かし検出プログラム、及び電子透かしの埋め込み方法に関する。
【背景技術】
【０００２】
従来より、著作権保護を目的として、著作権情報などを『電子透かし』として画像データに埋め込む技術が知られている（例えば、非特許文献１参照）。電子透かしの埋め込み方法としては、２値画像、モノクロ濃淡画像、カラー画像、動画像などの対象となる画像に応じて幾つかの手法が提案されており、それぞれ用途に応じて使用される。しかし、画像処理が施される前の画像データに対しては、有効な埋め込み方法は提案されていない。
【０００３】
これは、例えばカメラ内において画像処理前の画像データに電子透かし情報を埋め込み、それをメモリカードに記録しても、画像として再生するために必要な画像処理をその画像データに施す際に、埋め込んだ情報が大きく損傷されるからである。なお、本明細書では、画像として再生するために必要な画像処理（色補間等）を、以下『現像処理』という。
【０００４】
特許文献１では、電子透かし情報と、電子透かしの埋め込みを指示するフラグとを現像処理前のＲＡＷデータに付加し、現像処理前のＲＡＷデータに対する著作権保護を試みている。なお、特許文献１での現像処理前のＲＡＷデータは、撮像デバイスの画素構成に応じた信号形態での撮影記録モード（ＣＣＤ−ＲＡＷモード）で生成されたものであり、画像処理が施される前の画像データに相応する。そして、フラグが付加されたＲＡＷデータをコンピュータに渡して、現像処理と、電子透かし情報の埋め込み処理とをコンピュータに連続して実行させている。
【０００５】
なお、本明細書では、『画像データ』という表現は、各画素に対応する色情報（例えば画素値）の意味で用い、ファイルのヘッダが有する撮影情報等を含まないものとする。即ち、画像のファイルは、『画像データ』と、ヘッダ等に記録された情報とで構成されているものとする。各画素値として電子透かし情報が埋め込まれている場合、その画素値が表す情報は、撮影した被写体の純粋な色情報とは若干異なる可能性があるが、その場合も『画像データ』というものとする。特許文献１での『ＲＡＷデータ』は、フラグを含むと解釈すれば、本明細書での『画像データ』とは異なる。
【特許文献１】特開２００３−４６７５８号公報
【非特許文献１】松井甲子雄著『電子透かしの基礎』、森北出版株式会社、１９９８年８月２１日発行
【発明の開示】
【発明が解決しようとする課題】
【０００６】
特許文献１のように、電子透かし情報と、その埋め込みを指示する情報とをＲＡＷデータに付加しても、ＲＡＷデータの不正利用を確実に防止できない。なぜなら、現像処理の際にそれらの情報を無視すれば、現像処理が施された画像データを、電子透かしがない状態で生成できるからである。一方、プロカメラマンは、撮影後の画像データを画像処理前の状態で記録することが多い。このため、画像処理前の画像データに対しても、著作権を確実に保護する方法が望まれていた。
【０００７】
本発明の目的は、画像処理が施される前の画像データに対しても、著作権を保護するための技術を提供することである。
【課題を解決するための手段】
【０００８】
請求項１の撮像装置は、撮像部と、直接埋め込み部とを備えていることを特徴とする。撮像部は、被写体を撮像して、複数の画素の色情報からなると共に一つの画素に一つの色成分の色情報を有する画像データを生成する。直接埋め込み部は、画像処理が画像データに施される前に、画像処理のパラメータに応じて画像データに電子透かし情報を埋め込む。
【０００９】
請求項２の発明は、請求項１の撮像装置において、『パラメータは、ホワイトバランス調整のパラメータを含む』ことを特徴とする。
請求項３の撮像装置は、撮像部と、埋め込み処理部とを備えていることを特徴とする。撮像部は、被写体を撮像して、複数の画素の色情報からなると共に一つの画素に一つの色成分の色情報を有する画像データを生成する。埋め込み処理部は、画像処理が画像データに施される前に、画像データに対して、ホワイトバランスの調整処理を施してから電子透かし情報を埋め込む。
【００１０】
請求項４の発明は、請求項３の撮像装置において、『埋め込み処理部は、ホワイトバランスの調整処理が施されたことを示す情報を、電子透かし情報が埋め込まれた画像データに関連付ける』ことを特徴とする。
請求項５の発明は、請求項１〜請求項４のいずれかの撮像装置において、『電子透かし情報が埋め込まれた画像データから、電子透かし情報を検出する検出部を備えている』ことを特徴とする。
【００１１】
請求項６の発明は、以下のステップをコンピュータに実行させるための電子透かし検出プログラムである。１つは、請求項１〜請求項５のいずれかの撮像装置により電子透かし情報が埋め込まれた画像データを取得するステップである。１つは、取得した画像データから、電子透かし情報を検出するステップである。
請求項７の電子透かしの埋め込み方法は、『複数の画素の色情報からなると共に一つの画素に一つの色成分の色情報を有し、画像処理が施されていない画像データに対して、画像処理のパラメータに応じて電子透かし情報を埋め込む』ことを特徴とする。
【００１２】
請求項８の発明は、請求項７の電子透かしの埋め込み方法において、『パラメータは、ホワイトバランス調整のパラメータを含む』ことを特徴とする。
請求項９の電子透かしの埋め込み方法は、『複数の画素の色情報からなると共に一つの画素に一つの色成分の色情報を有し、画像処理が施されていない画像データに対して、ホワイトバランスの調整処理を施してから電子透かし情報を埋め込む』ことを特徴とする。
【００１３】
請求項１０の発明は、請求項９の電子透かしの埋め込み方法において、『ホワイトバランスの調整処理が施されたことを示す情報を、電子透かし情報が埋め込まれた画像データに関連付ける』ことを特徴とする。
【発明の効果】
【００１４】
本発明の一形態では、画像処理前の画像データに対して、画像処理のパラメータに応じて電子透かし情報を埋め込む。本発明の別の一形態では、画像処理前の画像データに対して、ホワイトバランスの調整処理を施してから電子透かし情報を埋め込む。従って、埋め込み後に色補間等の必要な画像処理を画像データに施しても、埋め込んだ情報の損傷の程度は、従来よりも低減する。さらに、電子透かし情報を埋め込むことによる画質劣化を軽減できる。この結果、画像処理前の画像データに対する著作権保護が可能となる。
【発明を実施するための最良の形態】
【００１５】
以下、図面を用いて本発明の実施の形態を説明する。
＜本実施形態の構成＞
図１は、本実施形態の原理説明図である。本実施形態では、まず、電子カメラ２の撮影により画像データを生成する（図１の［１］）。次に、撮像部４により生成されたＡ／Ｄ変換直後の画像データに対して、一切の画像処理を施さずに電子透かし情報を埋め込むか、或いは、ホワイトバランスの調整処理のみを施してから電子透かし情報を埋め込む（図１の［２］）。埋め込み後の画像データは、画像処理が施されずにメモリカード１０に記録された後（図１の［３］）、画像処理用コンピュータ８に取得される（図１の［４］）。以下、これを実現する構成の一例を具体的に説明する。
【００１６】
画像処理用コンピュータ８には、電子透かし検出プログラムＰ（不図示、請求項６に対応）がインストールされている。電子透かし検出プログラムＰは、電子カメラ２に対応するものであり、電子カメラ２によって埋め込まれた電子透かし情報を検出（解読）する。
図２は、電子カメラ２の詳細を示すブロック図である。図に示すように、電子カメラ２は、撮影レンズ１２と、フォーカルプレーンシャッタ１６と、撮像素子２０と、アナログ信号処理部２４と、Ａ／Ｄ変換部２８と、タイミングジェネレータ３２と、測色部３６と、ＭＰＵ（Micro Processor Unit）４０と、操作部４４と、システムバス４８と、画像処理部５２と、画像メモリ５６と、プログラムメモリ（ＥＥＰＲＯＭ）６０と、カードインターフェース６４と、交換可能なメモリカード（記録媒体）１０と、ＵＳＢ（Universal Serial Bus）７２と、ＵＳＢインターフェース７６と、モニタ制御部８０と、液晶モニタ８４とで構成されている。
【００１７】
アナログ信号処理部２４及びＡ／Ｄ変換部２８は、撮像素子２０から出力されるアナログの画素信号に、クランプ処理、感度補正処理、Ａ／Ｄ変換などを施して、デジタルの画像データを生成する。なお、Ａ／Ｄ変換前は、アナログの画素信号なので、データの状態ではなく、従ってＡ／Ｄ変換前に行われる処理は、画像処理とは異なる。
操作部４４は、電源釦、撮影条件入力用釦、レリーズ釦、記録モード選択釦、電子透かし情報入力釦などの設定用の釦群と、電子透かし情報検出指示釦とを有している（不図示）。
【００１８】
ＭＰＵ４０は、電子カメラ２のシステム制御を行う。また、ＭＰＵ４０には、前記電子透かし検出プログラムＰと、電子透かし埋め込みプログラム（後述するステップＳ５〜Ｓ１０、及びステップＳ１１〜Ｓ１７の処理に対応）とがインストールされている。
なお、電子カメラ２は、請求項記載の撮像装置の一例である。また、図１の撮像部は、撮影レンズ１２、フォーカルプレーンシャッタ１６、撮像素子２０、アナログ信号処理部２４、Ａ／Ｄ変換部２８、タイミングジェネレータ３２、及び撮影動作を制御するＭＰＵ４０の機能に対応する。撮像部による『被写体を撮像して画像データを生成する動作』は、公知なので説明を省略する。
【００１９】
＜本実施形態の動作説明＞
図３、図４、図５は、本実施形態の動作を示す流れ図である。図３は、電子透かし第１モードでの処理内容を主に示し、図４は、電子透かし第２モードでの処理内容を主に示し、図５は、画像処理用コンピュータ８での処理内容を主に示している。以下、図に示すステップ番号に従って、本実施形態の動作を説明する。
【００２０】
［ステップＳ１］公知の撮影動作により画像データが生成されて、Ａ／Ｄ変換部２８から出力される。ここで出力されるＡ／Ｄ変換直後の画像データは、一つの画素に対して一つの色成分の画素値を有し、一切の画像処理が施されていない。また、本実施形態では一例として、撮像素子２０は原色ベイヤ配列のものであり、各画素値は、赤画素信号Ｒ、緑画素信号Ｇ、青画素信号Ｂのいずれかであるとする。ここで、本明細書では、以下の４つの画像データを『ＲＡＷ画像の画像データ』と定義する。
【００２１】
１つは、ここで出力されるＡ／Ｄ変換直後の画像データである。１つは、Ａ／Ｄ変換直後の画像データに、電子透かし情報を埋め込んだものである。１つは、Ａ／Ｄ変換直後の画像データに、ホワイトバランスの調整処理のみを施したものである。１つは、Ａ／Ｄ変換直後の画像データに、ホワイトバランスの調整処理と、電子透かし情報の埋め込みとを施したものである。従って本明細書では、ホワイトバランスの調整処理、及び電子透かし情報の埋め込みを除く他の画像処理が施された画像データは、『ＲＡＷ画像の画像データ』とは言わない。
【００２２】
また、ステップＳ１での撮影時において、ＭＰＵ４０は、測色部３６により検出される撮影光源の色温度等に基づいて、ホワイトバランスゲインＷｒ、Ｗｇ、Ｗｂを決定する。本実施形態でのホワイトバランスの調整処理は、一例として、ホワイトバランスゲインＷｒ、Ｗｇ、Ｗｂを、赤画素信号Ｒ、緑画素信号Ｇ、青画素信号Ｂにそれぞれ乗じる処理を挙げる。
【００２３】
ホワイトバランスゲインＷｒ、Ｗｇ、Ｗｂは、無彩色を撮影したときの赤画素信号Ｒ、緑画素信号Ｇ、青画素信号Ｂの信号レベルが等しくなるように調整するものであり、撮像素子２０から出力される各色成分の画素信号の感度比補正も含む。なお、ユーザによりホワイトバランス調整の条件が予め設定されていれば、それを用いてホワイトバランスゲインＷｒ、Ｗｇ、Ｗｂを決定する。この後、ステップＳ２に進む。
【００２４】
［ステップＳ２］ＭＰＵ４０は、電子カメラ２の記録モードが電子透かし第１モードに設定されているか否かを判定する。設定されている場合、ステップＳ５に進み、そうでない場合、ステップＳ３に進む。
［ステップＳ３］ＭＰＵ４０は、電子カメラ２の記録モードが電子透かし第２モードに設定されているか否かを判定する。設定されている場合、図４のステップＳ１１に進み、そうでない場合、ステップＳ４に進む。
【００２５】
［ステップＳ４］このステップに到達する場合、電子カメラ２は、公知の他の記録モードに設定されている。画像処理部５２は、ＭＰＵ４０の指令に従って、Ａ／Ｄ変換直後のＲＡＷ画像の画像データに現像処理を施す。これにより、各画素が赤、青、緑の３つの色成分の画素値を有する画像データが生成される。以下の説明では、このように各画素が赤、青、緑の色成分の画素値を有する画像データを、ＲＧＢ画像データという。この後、ＲＧＢ画像データは、カードインターフェース６４を介してメモリカード１０に記録される。これにより電子カメラ２の動作は終了する。
【００２６】
［ステップＳ５］このステップに到達する場合、電子カメラ２は、電子透かし第１モードに設定されている。画像処理部５２は、ＭＰＵ４０の指令に従って、Ａ／Ｄ変換直後のＲＡＷ画像の画像データに対して、他の画像処理を施さずに、電子透かし第１モードの方法で電子透かし情報を埋め込む。埋め込み方法は、不可視の透かしであって、モノクロ濃淡画像に適用できる方法であればよく、画像領域上のものでも、周波数領域利用型のものでもよい（例えば、非特許文献１のp.61参照）。
【００２７】
このとき、『ＲＡＷ画像の画像データに、電子透かし第１モードの方法で電子透かし情報が埋め込まれた後、ホワイトバランスの調整処理が施されて生成される画像データ』と、『ＲＡＷ画像の画像データに先にホワイトバランスの調整処理が施された後、通常の方法で電子透かし情報が埋め込まれて生成される画像データ』とが同じになるように埋め込む。
【００２８】
具体的には、ＲＡＷ画像の画像データにおける、赤色成分に対応する或る画素Ｐｘｒの画素値をＱｒとし、緑色成分に対応する或る画素Ｐｘｇの画素値をＱｇとし、青色成分に対応する或る画素Ｐｘｂの画素値をＱｂとする。また、ＲＡＷ画像の画像データに対して、他の一切の画像処理を施さずに通常の方法で電子透かし情報を埋め込んだ場合、画素Ｐｘｒの画素値はＱｒ＋Δｄｒになり、画素Ｐｘｇの画素値はＱｇ＋Δｄｇになり、画素Ｐｘｂの画素値はＱｂ＋Δｄｂになるとする。
【００２９】
電子透かし第１モードでは、画素Ｐｘｒの画素値がＱｒ＋（Δｄｒ／Ｗｒ）になるように、画素Ｐｘｇの画素値がＱｇ＋（Δｄｇ／Ｗｇ）になるように、画素Ｐｘｂの画素値がＱｂ＋（Δｄｂ／Ｗｂ）になるように、電子透かし情報を埋め込む。このためには、例えば、ＲＡＷ画像の画像データに対して、他の一切の画像処理を施さずに通常の方法で電子透かし情報を埋め込み、画素Ｐｘｒの画素値（即ち、Ｑｒ＋Δｄｒ）がいくらになるかを求める。そして、ここで求めた画素値から、埋め込み前の画素値であるＱｒを差し引けば、Δｄｒが求まる。Δｄｒが求まれば、画素Ｐｘｒの画素値がＱｒ＋（Δｄｒ／Ｗｒ）になるように埋め込むことができる。
【００３０】
画素Ｐｘｒの画素値は、電子透かし第１モードの方法で電子透かし情報が埋め込まれた直後は、Ｑｒ＋（Δｄｒ／Ｗｒ）になり、その後にホワイトバランスの調整処理が施されると、Ｗｒ倍されるため、（Ｑｒ×Ｗｒ）＋Δｄｒとなる。これは、ホワイトバランスの調整処理後に電子透かし情報を通常の方法で埋め込むことと等価になる。画素Ｐｘｇ、画素Ｐｘｂについても同様である。なお、ここで埋め込む電子透かし情報は、例えばユーザの入力により予め設定されている。この後、ステップＳ６に進む。
【００３１】
［ステップＳ６］ＭＰＵ４０は、電子透かし情報検出指示釦により、電子透かし情報を検出する指示が与えられているか否かを判定する。与えられている場合、ステップＳ７に進み、そうでない場合、ステップＳ８に進む。
［ステップＳ７］ＭＰＵ４０は、電子透かし検出プログラムＰを用いて、ステップＳ５の処理後のＲＡＷ画像の画像データから、電子透かし情報を検出する。ここでの検出方法は、ステップＳ５で使用した埋め込み方法に対応した手法であり、且つ、モノクロ濃淡画像を対象とする方法である必要がある。この後、ＭＰＵ４０は、検出した電子透かし情報を液晶モニタ８４に表示させる。これにより、ユーザは、電子透かし情報が正確に埋め込まれたことと、埋め込んだ電子透かし情報の内容とを確認できる。この後、ステップＳ８に進む。
【００３２】
［ステップＳ８］ＭＰＵ４０は、『ステップＳ５の処理後のＲＡＷ画像の画像データ』と、『ステップＳ１での撮影時の撮影情報』とを、１つのファイルとして、カードインターフェース６４を介してメモリカード１０に記録させる。ここで記録されるファイルのように、ＲＡＷ画像の画像データと、撮影情報とで構成されるファイルを、以下『ＲＡＷ画像ファイル』という。また、撮影情報は、例えば撮影時刻や、画素配列の情報（この例ではベイヤ配列であることを示す情報）であり、ファイルのヘッダとして記録される。さらに、ここでの撮影情報は、ステップＳ１で決定したホワイトバランスゲインＷｒ、Ｗｇ、Ｗｂを必ず含む。この後、ステップＳ９に進む。
【００３３】
［ステップＳ９、Ｓ１０］ステップＳ６、Ｓ７と同様の処理が行われる。この後、図５のステップＳ１８に進む。
［ステップＳ１１］このステップに到達する場合、電子カメラ２の記録モードは、電子透かし第２モードに設定されている。電子透かし第２モードでは、画像処理部５２は、ＭＰＵ４０の指令に従って、ステップＳ１で決定したホワイトバランスＷｒ、Ｗｇ、Ｗｂを用いて、ＲＡＷ画像の画像データにホワイトバランスの調整処理を施す。この後、ステップＳ１２に進む。
【００３４】
［ステップＳ１２］画像処理部５２は、ＭＰＵ４０の指令に従って、ステップＳ１１の処理が施されたＲＡＷ画像の画像データに、電子透かし情報を埋め込む。ここでの埋め込み方法は、不可視の透かしであって、モノクロ濃淡画像に対して適用できる方法であればよい。この後、ステップＳ１３に進む。
［ステップＳ１３］ＭＰＵ４０は、電子透かし情報検出指示釦により、電子透かし情報を検出する指示が与えられているか否かを判定する。与えられている場合、ステップＳ１４に進み、そうでない場合、ステップＳ１５に進む。
【００３５】
［ステップＳ１４］ＭＰＵ４０は、電子透かし検出プログラムＰを用いて、ステップＳ１２の処理後のＲＡＷ画像の画像データから、電子透かし情報を検出する。なお、ここでの検出方法は、ステップＳ１２での埋め込み方法に対応している点で、ステップＳ７の検出方法（ステップＳ５で使用した埋め込み方法に対応）とは異なる。この後、ＭＰＵ４０は、検出した電子透かし情報を液晶モニタ８４に表示させる。そして、ステップＳ１５に進む。
【００３６】
［ステップＳ１５］ＭＰＵ４０は、ステップＳ８と同様に、『ステップＳ１２の処理後のＲＡＷ画像の画像データ』と、『ステップＳ１での撮影時の撮影情報』とを、ＲＡＷ画像ファイルとしてメモリカード１０に記録させる。但し、ここでの撮影情報の内のホワイトバランスゲインＷｒ、Ｗｇ、Ｗｂは、ステップＳ１１での処理に使用された値ではなく、全て１として記録される。これは、記録されるＲＡＷ画像の画像データには既にホワイトバランスの調整処理が施されたことを示すためである。この後、ステップＳ１６に進む。
【００３７】
［ステップＳ１６、Ｓ１７］ステップＳ１３、Ｓ１４と同様の処理が行われる。この後、図５のステップＳ１８に進む。
［ステップＳ１８］画像処理用コンピュータ８は、メモリカード１０に記録されたＲＡＷ画像ファイルを取得する。そして、ステップＳ１９に進む。
［ステップＳ１９］画像処理用コンピュータ８は、電子透かし情報を検出する指示が（例えばキーボード入力により）与えられているか否かを判定する。与えられている場合、ステップＳ２０に進み、そうでない場合、ステップＳ２１に進む。
【００３８】
［ステップＳ２０］画像処理用コンピュータ８は、ＲＡＷ画像ファイルのヘッダを参照して、ホワイトバランスゲインＷｒ、Ｗｇ、Ｗｂが全て１であるか否かを判定する。なお、全て１である場合は、このＲＡＷ画像ファイルが電子透かし第２モードで記録された場合を意味し、そうでない場合は、このＲＡＷ画像ファイルが電子透かし第１モードで記録された場合を意味する。
【００３９】
この後、画像処理用コンピュータ８は、電子透かし検出プログラムＰを用いて、取得したＲＡＷ画像ファイルにおけるＲＡＷ画像の画像データから、電子透かし情報を検出する。この際、ホワイトバランスゲインＷｒ、Ｗｇ、Ｗｂが全て１であれば、ステップＳ１４と同様の方法で検出し、そうでなければ、ステップＳ７と同様の方法で検出する。この後、画像処理用コンピュータ８は、検出した電子透かし情報を画面に表示する。そして、ステップＳ２１に進む。
【００４０】
［ステップＳ２１］画像処理用コンピュータ８は、ＲＡＷ画像ファイルのヘッダを参照して、ホワイトバランスゲインＷｒ、Ｗｇ、Ｗｂが全て１であるか否かを判定する。全て１である場合（電子透かし第２モードで記録された場合）、ステップＳ２３に進み、そうでない場合（電子透かし第１モードで記録された場合）、ステップＳ２２に進む。
［ステップＳ２２］画像処理用コンピュータ８は、取得したＲＡＷ画像ファイルにおけるＲＡＷ画像の画像データに、現像処理を施し、ＲＧＢ画像データを生成する。ここでの現像処理は、ホワイトバランスの調整処理、色補間、色補正、輪郭強調処理、ガンマ補正等である。また、ここでのホワイトバランスの調整処理には、ＲＡＷ画像ファイルのヘッダに記録されたホワイトバランスゲインＷｒ、Ｗｇ、Ｗｂが用いられる。この後、ステップＳ２４に進む。
【００４１】
［ステップＳ２３］画像処理用コンピュータ８は、取得したＲＡＷ画像ファイルにおけるＲＡＷ画像の画像データに、ホワイトバランスの調整処理を除く現像処理を施し、ＲＧＢ画像データを生成する。この後、ステップＳ２４に進む。
［ステップＳ２４］画像処理用コンピュータ８は、電子透かし情報を検出する指示が与えれているか否かを判定する。与えられている場合、ステップＳ２５に進み、そうでない場合、ステップＳ２６に進む。
【００４２】
［ステップＳ２５］画像処理用コンピュータ８は、電子透かし検出プログラムＰを用いて、ステップＳ２２またはＳ２３で生成されたＲＧＢ画像データから、電子透かし情報を検出する。ここでの検出方法は、電子カメラ２で使用した埋め込み方法（ステップＳ５、Ｓ１４）に対応した方法であり、且つ、三原色からなるカラー画像に対応した方法である必要がある。そして、画像処理用コンピュータ８は、ＲＧＢ画像データにより表される画像を、検出した電子透かし情報と共に画面に表示する。この後、ステップＳ２７に進む。
【００４３】
［ステップＳ２６］画像処理用コンピュータ８は、ステップＳ２２またはＳ２３で生成されたＲＧＢ画像データにより表される画像を、そのまま（電子透かし情報を出さずに）画面に表示する。この後、ステップＳ２７に進む。
［ステップＳ２７］画像処理用コンピュータ８は、ユーザの指示に従って、処理を続ける。例えば、電子透かし情報を検出する指示が与えられたら、ＲＧＢ画像データにより表される画像を、検出した電子透かし情報と共に画面に表示する。或いは、生成したＲＧＢ画像データを記録する指示が与えられたら、それを記録する。以上が本実施形態の動作説明である。
【００４４】
＜本実施形態の効果＞
『Ａ／Ｄ変換直後のＲＡＷ画像の画像データに、電子透かし第１モードの方法で電子透かし情報が埋め込まれて生成されるデータ』は、埋め込み後にホワイトバランスの調整処理が施されると、『Ａ／Ｄ変換直後のＲＡＷ画像の画像データに先にホワイトバランスの調整処理が施された後、通常の方法で電子透かし情報が埋め込まれて生成される画像データ』と同じになる（ステップＳ５）。
【００４５】
このため、電子透かし第１モードでメモリカード１０に記録されるＲＡＷ画像の画像データにホワイトバランスの調整処理が施されても、その中に埋め込まれた電子透かし情報は、全く損傷しない。従って、電子透かし第１モードで記録されるＲＡＷ画像の画像データに、現像処理が施された場合、埋め込まれた情報の損傷の度合いは、従来よりも低減する。また、電子透かし情報を埋め込むことによる画質劣化を軽減できる。
【００４６】
即ち、電子透かし第１モードでは、Ａ／Ｄ変換直後のＲＡＷ画像の画像データに電子透かし情報を１回埋め込むだけで、その後に加工等の処理が施されて生成される全ての画像データに対して、著作権保護が可能となる。また、画像処理前のＲＡＷ画像の画像データに埋め込むため、撮影時にカメラ内で自動的に埋め込むことができる。この結果、ユーザの利便性は大いに向上する。さらに、モノクロ濃淡画像を対象とした不可視の電子透かしであれば各種の埋め込み方法に対応しているので、実施が容易である。
【００４７】
電子透かし第２モードでは、Ａ／Ｄ変換直後のＲＡＷ画像の画像データに先にホワイトバランスの調整処理を施した後、通常の方法で電子透かし情報を埋め込む。即ち、電子透かし第２モードで記録されるＲＡＷ画像の画像データは、ホワイトバランスの調整処理が既に施されているという点で電子透かし第１モードで記録されるものとは異なるものの、この場合も上述と同様の効果が得られる。なお、メモリカード１０への記録時には、ホワイトバランスゲインＷｒ、Ｗｇ、Ｗｂは全て１として記録されるので、ホワイトバランスの調整処理が誤って２回行われることはない。
【００４８】
＜本実施形態の補足事項＞
［１］  ＲＡＷ画像の画像データにおける赤、緑、または青色成分の全画素に対して、適用するホワイトバランスゲインＷｒ、Ｗｇ、Ｗｂが同じとして説明した。本発明は、かかる実施形態に限定されるものではない。ＲＡＷ画像の画像データにおける赤、緑、または青色成分の画素に対して色調整のために適用する各色成分のゲインが、画像領域によって異なる場合は、各画像領域毎に対応するゲインに基づいて電子透かしを埋め込めばよい。
【００４９】
［２］  ＲＡＷ画像ファイルを、メモリカード１０を介して、画像処理用コンピュータ８に取得させる例を述べた。本発明は、かかる実施形態に限定されるものではない。メモリカード１０に記録せずに、ＵＳＢ７２を介して、ＲＡＷ画像ファイルを画像処理用コンピュータ８に転送してもよい。
［３］  撮像素子２０が原色ベイヤ配列である例を述べた。本発明は、かかる実施形態に限定されるものではない。本発明は、例えば、シアン、イエロー、マゼンダの補色系にも適用可能である。
【００５０】
［４］  ステップＳ２２、Ｓ２３では、画像として再生するために必要な全ての画像処理を画像処理用コンピュータ８が連続して行う例を述べた。本発明は、かかる実施形態に限定されるものではない。ユーザの指示に従って、色補間、ガンマ補正等の画像処理を、１つずつ行うようにしてもよい。この場合、各画像処理の条件をユーザ入力により変更できるようにしてもよい。また、この場合、ユーザの指示があれば、埋め込まれた電子透かし情報を、各々の画像処理の後に検出及び表示させるようにしてもよい。
【００５１】
［５］  Ａ／Ｄ変換直後のＲＡＷ画像の画像データに対して、ホワイトバランスの調整処理、及び電子透かしの埋め込み以外の画像処理を施さずにＲＡＷ画像ファイルとしてメモリカード１０に記録する例を述べた。現像処理をＲＡＷ画像の画像データに施してＲＧＢ画像データにしてから、それを別ファイルとして、ＲＡＷ画像ファイルと共に記録してもよい。
【００５２】
［６］  最後に、請求項と本実施形態との対応関係を説明する。なお、以下に示す対応関係は、参考のために示した一解釈であり、本発明を限定するものではない。
請求項記載の直接埋め込み部は、『ステップＳ５で、ホワイトバランスゲインＷｒ、Ｗｇ、Ｗｂに基づいて電子透かし情報を画像データに埋め込む画像処理部５２の機能、及びそれを指令するＭＰＵ４０の機能』に対応する。
【００５３】
請求項記載のパラメータは、ホワイトバランスゲインＷｒ、Ｗｇ、Ｗｂに対応する。
請求項記載の埋め込み処理部は、『Ａ／Ｄ変換直後のＲＡＷ画像の画像データに対して、ホワイトバランスの調整処理を施してから電子透かし情報を埋め込む画像処理部５２の機能、及びそれを指令するＭＰＵ４０の機能』に対応する（ステップＳ１１、Ｓ１２参照）。
【００５４】
請求項記載の『ホワイトバランスの調整処理が施されたことを示す情報』は、『ステップＳ１５において、全て１として記録されるホワイトバランスゲインＷｒ、Ｗｇ、Ｗｂ』に対応する。
請求項記載の検出部は、『ＲＡＷ画像の画像データから、埋め込まれた電子透かし情報を検出するＭＰＵ４０の機能』に対応する（ステップＳ７、Ｓ１０、Ｓ１４、Ｓ１７参照）。
【産業上の利用可能性】
【００５５】
以上詳述したように本発明は、電子透かしの分野において大いに利用可能である。
【図面の簡単な説明】
【００５６】
【図１】本実施形態の原理説明図である。
【図２】本実施形態の電子カメラの構成を示すブロック図である。
【図３】本実施形態の動作を示す流れ図の導入部分であり、電子透かし第１モードでの処理内容を主に示す。
【図４】本実施形態の動作を示す流れ図の一部であり、電子透かし第２モードでの処理内容を示す。
【図５】本実施形態の動作を示す流れ図の最終部分であり、画像処理用コンピュータ８での処理内容を示す。
【符号の説明】
【００５７】
２  電子カメラ
４  撮像部
８  画像処理用コンピュータ
１０  メモリカード
１２  撮影レンズ
１６  フォーカルプレーンシャッタ
２０  撮像素子
２４  アナログ信号処理部
２８  Ａ／Ｄ変換部
３２  タイミングジェネレータ
３６  測色部
４０  ＭＰＵ
４４  操作部
４８  システムバス
５２  画像処理部
５６  画像メモリ
６０  プログラムメモリ
６４  カードインターフェース
７２  ＵＳＢ
７６  ＵＳＢインターフェース
８０  モニタ制御部
８４  液晶モニタ
【図１】
2005278099.tif 000003
【図２】
2005278099.tif 000004
【図３】
2005278099.tif 000005
【図４】
2005278099.tif 000006
【図５】
2005278099.tif 000007